(57)【要約】【課題】鏡板を嵌め込んだ扉において、鏡板を嵌め込むための一框部にミニドアを、デザイン性よく、簡単に設置できる構造を提供する。【解決手段】複数の鏡板と、該鏡板を嵌入するための溝部を内設する框部１を備えた扉において、任意の一つの框部の左右上下に内設された溝部１１、１２、１３、１４を溝カバー材で覆って枠体２を形成するとともに、この枠体２の左右縦枠２１、２２の内側上部に、ミニドア４を揺動自在に軸支するための軸支手段３１、３２が設けられたミニドアの設置構造。上記軸支手段として、好ましくは、凸部が設けられる。【選択図】　図１
2004019265.tif 000002
【特許請求の範囲】
【請求項１】
複数の鏡板と、該鏡板を嵌入するための溝部を内設する框部を備えた扉において、任意の一つの框部の左右上下に内設された上記溝部を溝カバー材で覆って枠体を形成するとともに、この枠体の左右縦枠の内側上部に、ミニドアを揺動自在に軸支するための軸支手段が設けられたミニドアの設置構造。
【請求項２】
上記ミニドアを揺動自在に軸支するための軸支手段が凸部である、請求項１に記載のミニドアの設置構造。
【請求項３】
上記ミニドアを揺動自在に軸支するための軸支手段が凹部である、請求項１に記載のミニドアの設置構造。
【請求項４】
上記溝カバー材は、上記溝部に挿入される挿入部と溝カバー部とから構成されるとともに、この挿入部の溝部との接触面に凹凸部が設けられた、請求項１に記載のミニドアの設置構造。
【請求項５】
複数の鏡板と、該鏡板を嵌入するための溝部を内設する框部を備えた扉において、任意の一つの框部の左右上下に内設された上記溝部を溝カバー材で覆って枠体を形成するとともに、この枠体の上下横枠の内側端部に、ミニドアを回動自在に軸支するための軸支手段が設けられたミニドアの設置構造。
【発明の詳細な説明】
【０００１】
【発明の属する技術分野】
本発明は、鏡板を嵌め込んでなる扉に関し、さらに詳しくは、上記鏡板を嵌め込むための框部を利用して、ミニドアを設置する構造に関する。
【０００２】
【従来の技術】
従来、屋内で飼っている、猫や小型の犬等のペットが、屋内の部屋を自由に行き来したり、屋内外の出入りを自由にできるように、たとえば、部屋を仕切っているサッシ戸や扉を半開きの状態にしておく必要があった。しかし、このような状態にすると、冷暖房の効率が悪くなったり、無用心であるため、部屋のサッシ戸や扉を閉じたままでも、ペットが部屋間や屋内外を自由に出入りすることができるように、ペット用出入り口を設けることが行なわれている。
【０００３】
【発明が解決しようとする課題】
上記ペット用出入り口に関しては、実開平６−５１４８６号、特開平１−１０２１９０号、実開昭６３−１９５０９３号、実開平２−１０３４９４号等各種先行技術が公知である。しかしながら、上記各公報に記載の技術は、構造が複雑であり、また、ペットがスムースに通りにくい等の問題があり、必ずしも満足できるものとはいえない。そこで、本発明は、鏡板を嵌め込んでなる扉の、鏡板を嵌め込むための框部を利用し、上記鏡板に代えて、ミニドアを揺動自在もしくは、回動自在に取付け、簡単な構造で、容易にペットが出入りできるミニドアの取付け構造を提供することを、その課題とする。
【０００４】
【課題を解決するための手段】
本発明は、上記課題を解決するために考え出されたものであって、つぎのような技術的手段を講じている。すなわち、本願第一の発明によれば、複数の鏡板と、該鏡板を嵌入するための溝部を内設する框部を備えた扉において、任意の一つの框部の左右上下に内設された上記溝部を溝カバー材で覆って枠体を形成するとともに、この枠体の左右縦枠の内側上部に、ミニドアを揺動自在に軸支するための軸支手段が設けられたミニドアの設置構造が提供される。このようにすることにより、複数の鏡板を嵌め込んだ扉において、鏡板を嵌め込むための任意の一つの框部にミニドアを、デザイン性よく、簡単に設置することができる。
【０００５】
上記、ミニドアを揺動自在に軸支するための軸支手段として、凸部が枠体の左右縦枠の内側上部に突設される。このとき、ミニドアの左右上部の、上記凸部と相応する位置に凹部を設け、上記凸部と遊嵌合させて軸支すれば、ミニドアを前後に揺動自在に取付けることができる。
【０００６】
上記、ミニドアを揺動自在に軸支するための軸支手段として、凹部が枠体の左右縦枠の内側上部に設けられる。このとき、ミニドアの左右上部の、上記凹部と相応する位置に凸部を設け、上記凹部と遊嵌合させて軸支すれば、ミニドアを前後に揺動自在に取付けることができる。
【０００７】
上記溝カバー材は、上記溝部に挿入される挿入部と溝カバー部とから構成されるとともに、この挿入部の溝部との接触面に凹凸部が設けられることが好ましい。このようにすることにより、挿入部を溝部に圧入したとき、凹凸部が変形し、溝部にしっかりと嵌着される。
【０００８】
また、本願第二の発明によれば、複数の鏡板と、該鏡板を嵌入するための溝部を内設する框部を備えた扉において、任意の一つの框部の左右上下に内設された上記溝部を溝カバー材で覆って枠体を形成するとともに、この枠体の上下横枠の内側端部に、ミニドアを回動自在に軸支するための軸支手段が設けられたミニドアの設置構造が提供される。このようにすることにより、ミニドアを、左右いずれかの端部を軸として回動自在に取付けることができる。
【０００９】
【発明の実施の形態】
以下、本発明の好ましい実施の形態について、図面を参照してより詳細に説明する。図１は、複数の鏡板を嵌め込んだ扉において、本発明にかかるミニドア４の設置構造を、上記鏡板を嵌め込むための任意の一つの框部１、図示例においては、最下端右方の框部１に設けた状態を示す斜視図である。図２は、図１におけるＸ−Ｘ線に沿う平断面図である。図１、図２からよくわかるように、本発明のミニドア４の設置構造Ａは、框部１の左框部、右框部、上框部、下框部に、それぞれ、内設された左溝部１１、右溝部１２、上溝部１３、下溝部１４を覆って枠体２を形成する溝カバー材と、該枠体２の左縦枠２１と右縦枠２２の内側上部に突設され、図示しないミニドア４を軸支するための左凸部３１および右凸部３２とから構成される。
【００１０】
上記、左縦枠２１、右縦枠２２、上横枠２３、下横枠２４を構成する溝カバー材は、いずれも、溝部へ挿入される挿入部２ａと、溝カバー部２ｂとから形成され、上記したように枠体２を構成する。上記左縦枠２１と右縦枠２２の上部に突設された、左凸部３１および右凸部３２は、図２に点線で示すミニドア４の左右上部に設けられた左凹部４１および右凹部４２と遊嵌合し、ミニドア４を、前後に揺動自在に軸支する。
【００１１】
図２からよくわかるように、左縦枠２１、右縦枠２２を構成する溝カバー材は、いずれも、その挿入部２ａが、左溝部１１、右溝部１２に挿入され、各溝部１１、１２は、溝カバー部２ｂで覆われる。このとき、挿入部２ａの溝部との接触面には、凹凸部が設けられている。このようにすることにより、挿入部２ａが左溝部１１、右溝部１２に圧入されたとき、凹凸部が変形し、各溝部にしっかりと嵌着する。図２において、符号５１は、左框部を支持する芯材であり、符号５３は右框部を支持する芯材である。
【００１２】
図３は、図１におけるＹ−Ｙ線に沿う側断面図である。図３において、上横枠２３、下横枠２４を構成する溝カバー材は、いずれも、その挿入部２ａが、上溝部１３、下溝部１４に挿入され、各溝部１３、１４は、溝カバー部２ｂで覆われる。このとき、挿入部２ａの溝との接触面には、上記と同様に、凹凸部が設けられている。図３からよくわかるように、左縦枠２１の上部に突設された左凸部３１と、図示しない右凸部３２には、点線で示すミニドア４が、既述の方法で前後に揺動自在に軸支され、ミニドア４は、ペットが押すことによって開き、ペットが通った後は、自重で枠体２で囲まれた開口部を塞ぐ。図３において、符号５３は、上框部１を支持する芯材であり、符号５４は下框部１を支持する芯材である。
【００１３】
上記は、ミニドア４を揺動自在に軸支するための軸支手段として、左縦枠２１と右縦枠２２の上部に、それぞれ、左凸部３１と右凸部３２を突設した形態を示したが、左凸部３１と右凸部３２に代えて左凹部３１ａと右凹部３２ａを設けてもよい。図４には、上記軸支手段として、左縦枠２１の上部に左凹部３１ａ、右縦枠２２の上部に右凹部３２ａを設けた状態を平断面図により示す。このとき、上記左凹部３１ａ、右凹部３２ａは、図４に点線で示すミニドア４の左右上部に設けられた左凸部４１ａおよび右凸部４２ａと遊嵌合し、ミニドア４を、前後に揺動自在に軸支する。
【００１４】
また、既述の形態においては、左縦枠２１および右縦枠２２の内側上部にミニドア４を前後に揺動自在に軸支するための軸支手段を設けたが、上横枠２３および下横枠２４の左右いずれかの端部にミニドア４を回動自在に軸支するための軸支手段を設けてもよい。図５には、上横枠２３および下横枠２４の内側左端部に、上記軸支手段としての上凸部３３および下凸部３４を突設した状態を示す。このとき、ミニドア４の左側上部および下部における、上記、上凸部３３および下凸部３４と相応する位置に、凹部を設けて遊嵌合させれば、ミニドア４を回動自在に軸支することができる。ただし、本形態においては、ペットが通った後は、常にミニドア４が閉じるように、バネ等の付勢手段を用いた自動復帰装置を設けることが望ましい。
【００１５】
上記は、ミニドア４をペット用出入り口として利用する場合について述べたが、ペット用にかかわらず、ドアの中にドアを設ける二重ドア構造としてもよい。このように、本発明は、手間をかけずに、既設の扉の構造を利用して、簡単にミニドア４を設置することができる。
【００１６】
【発明の効果】
以上述べたように、請求項１に記載の発明は、複数の鏡板と、該鏡板を嵌入するための溝部を内設する框部１を備えた扉において、任意の一つの框部１の左右上下に内設された上記溝部を溝カバー材で覆って枠体２を形成するとともに、この枠体２の左右縦枠２１、２２の内側上部に、ミニドア４を揺動自在に軸支するための軸支手段が設けられたミニドア４の設置構造である。このようにすることにより、複数の鏡板を嵌め込んだ扉において、鏡板を嵌め込むための任意の一つの框部１にミニドア４を、デザイン性よく、簡単に設置することができる。
【００１７】
請求項２に記載の発明は、上記、ミニドア４を揺動自在に軸支するための軸支手段として、凸部３１、３２が枠体２の左右縦枠２１、２２の内側上部に突設される。このとき、ミニドアの左右上部の、上記凸部３１、３２と相応する位置に凹部４１、４２を設け、上記凸部３１、３２と遊嵌合させて軸支すれば、請求項１に記載の発明の効果に加えて、ミニドア４は、前後に揺動自在に軸支されているため、ペットが押すことによって開き、ペットが通った後は、自重で枠体で囲まれた開口部を塞ぐ。
【００１８】
請求項３に記載の発明は、上記、ミニドア４を揺動自在に軸支するための軸支手段として、凹部３１ａ、３２ａが枠体２の左右縦枠２１、２２の内側上部に設けられる。このとき、ミニドア４の左右上部の、上記凹部と相応する位置に凸部４１ａ、４２ａを設け、上記凹部３１ａ、３２ａと遊嵌合させて軸支すれば、請求項１に記載の発明の効果に加えて、ミニドアは、前後に揺動自在に軸支されているため、ペットが押すことによって開き、ペットが通った後は、自重で枠体で囲まれた開口部を塞ぐ。
【００１９】
請求項４に記載の発明は、上記溝カバー材が、上記溝部１１、１２、１３、１４に挿入される挿入部２ａと溝カバー部２ｂとから構成されるとともに、この挿入部２ａの該溝部との接触面に凹凸部が設けられる。このようにすることにより、請求項１に記載の発明の効果に加えて、挿入部２ａを該溝部に圧入したとき、凹凸部が変形し、該溝部にしっかりと嵌着される。
【００２０】
請求項５に記載の発明は、複数の鏡板と、該鏡板を嵌入するための溝部を内設する框部１を備えた扉において、任意の一つの框部１の左右上下に内設された溝部１１、１２、１３、１４を溝カバー材で覆って枠体２を形成し、ミニドアを回動自在に軸支するための軸支手段が、上記枠体２の上下横枠２３、２４の内側端部に設けられたミニドアの設置構造である。このようにすることにより、複数の鏡板を嵌め込んだ扉において、鏡板を嵌め込むための任意の一つの框部１にミニドア４を、デザイン性よく、簡単に設置することができる。
【図面の簡単な説明】
【図１】本願第一発明にかかるミニドアの設置構造の一実施形態を示す斜視図である。
【図２】図１におけるＸ−Ｘ線に沿う平断面図である。
【図３】図１におけるＹ−Ｙ線に沿う側断面図である。
【図４】本願第一発明にかかるミニドアの設置構造の一実施例を示す平断面図である。
【図５】本願第二発明にかかるミニドアの設置構造の一実施形態を示す斜視図である。
【符号の説明】
１　　　　框部
１１　　　左溝部
１２　　　右溝部
１３　　　上溝部
１４　　　下溝部
２　　　　枠体
２ａ　　　挿入部
２ｂ　　　溝カバー部
２１　　　左縦枠
２２　　　右縦枠
２３　　　上横枠
２４　　　下横枠
３１　　　左凸部
３２　　　右凸部
３３　　　上凸部
３４　　　下凸部
３１ａ　　左凹部
３２ａ　　右凹部
４１　　　ミニドアの左上部に設けられた凹部
４２　　　ミニドアの右上部に設けられた凹部
４１ａ　　ミニドアの左上部に設けられた凸部
４２ａ　　ミニドアの右上部に設けられた凸部
５１　　　左框部を支持する芯材
５２　　　右框部を支持する芯材
５３　　　上框部を支持する芯材
５４　　　下框部を支持する芯材
Ａ　　　　本発明にかかるミニドアの設置構造
【図１】
2004019265.tif 000003
【図２】
2004019265.tif 000004
【図３】
2004019265.tif 000005
【図４】
2004019265.tif 000006
【図５】
2004019265.tif 000007